(57)【要約】【課題】  マトリックス式ボード対ボードコネクタアセンブリの提供。【解決手段】  第１コネクタと第２コネクタを包含し、第１コネクタに第１係合片が固定され、第１係合片が係合部を具え、係合部は第１係合片の下側が外向きに折り曲げられて延伸されてなる。第２コネクタに第２係合片が固定され、第２係合片は弾性部を具え、弾性部が定形状に折り曲げられ、第１、２コネクタの挿嵌完成時に弾性部が弾性回復により第１係合片の係合部に衝突して衝撃音を発生し、これにより使用者が第１、２コネクタが完全に挿嵌されたかを判断できる。【選択図】        図１
0003113410.tif 000002
【実用新案登録請求の範囲】
【請求項１】
第１コネクタであって、該第１コネクタは、第１ケース、複数の第１端子を包含し、第１ケースは第１基板及び側板を具え、側板は第１基板より垂直に上向きに延伸され、複数の第１端子は第１基板に固定された、上記第１コネクタと、
第２コネクタであって、第２ケースと複数の第２端子を包含し、第２ケースが第２基板と接続ガイド壁を具え、接続ガイド壁が第２基板より下向きに垂直に延伸され、該複数の第２端子がマトリックス形式で第２基板に固定された、上記第２コネクタと、
を包含するマトリックス式ボード対ボードコネクタアセンブリにおいて、
第１コネクタの第１基板の側板に近隣の部分に切欠きが開設されて第２コネクタの接続ガイド壁が挿入され、接続ガイド壁に第２基板上面を貫通する収容溝が開設され、第１コネクタが更に第１係合片を具え、該第１係合片が第１基部、嵌合部、第１ソルダーピン、及び係合部を具え、嵌合部が第１基部より平行に延伸され、該嵌合部が第１コネクタの側板に嵌合され、第１ソルダーピンが第１基部の下側より下向きに垂直に延伸され、係合部は第１基部の下側が外向きに折り曲げられて延伸されてなり、第２コネクタは更に第２係合片を包含し、該第２係合片は第２基部、弾性部、及び第２ソルダーピンを具え、第２基部は第２コネクタの第２基板に固定され、弾性部は第２コネクタの収容溝中に収容され、該弾性部は固定端、接続アーム、及び自由端を具え、固定端は第２基部の下側が下向きに垂直に延伸されてなり、接続アームは固定端より外向きに折り曲げられ延伸され、自由端は接続アームより上向きに延伸され、並びに自由端と接続アームの接続部分が下から上に先ず外に突出した後に内向きに凹んで凸円弧と凹円弧の過渡状を呈し、自由端が第１係合片の係合部に弾性圧接し、第２ソルダーピンが第２基部の上側より上向きに垂直に延伸されたことを特徴とする、マトリックス式ボード対ボードコネクタアセンブリ。
【請求項２】
請求項１記載のマトリックス式ボード対ボードコネクタアセンブリにおいて、第１コネクタの側板の、切欠きに近隣の部分に嵌合溝が開設されて、第１係合片の嵌合部が該嵌合溝内に嵌合することを特徴とする、マトリックス式ボード対ボードコネクタアセンブリ。
【請求項３】
請求項２記載のマトリックス式ボード対ボードコネクタアセンブリにおいて、第１コネクタの第１基板及び側板のいずれにも固定孔が開設され、第１係合片の嵌合部及び第１基部の下側より第１基部と第１ソルダーピンに垂直な固定ピンが延伸され、二つの固定ピンが対応する固定孔中に挿入されて、第１係合片が固定されることを特徴とする、マトリックス式ボード対ボードコネクタアセンブリ。
【請求項４】
請求項１記載のマトリックス式ボード対ボードコネクタアセンブリにおいて、第１係合片の第１基部の上側が外向きに折り曲げられて折辺が形成されたことを特徴とする、マトリックス式ボード対ボードコネクタアセンブリ。
【請求項５】
請求項１記載のマトリックス式ボード対ボードコネクタアセンブリにおいて、第２基板の接続ガイド壁に近隣の部分に収容溝と連通する固定溝が開設され、第２係合片の第２基部の下側両端がそれぞれ下向きに垂直に延伸されて二つの保持アームが形成され、第２係合片の第２基部及び二つの保持アームがいずれも固定溝内に固定されることを特徴とする、マトリックス式ボード対ボードコネクタアセンブリ。
【考案の詳細な説明】
【技術分野】
【０００１】
本考案は一種のボード対ボードコネクタアセンブリに係り、特に、一種のマトリックス式ボード対ボードコネクタアセンブリに関する。
【背景技術】
【０００２】
図１０には周知のマトリックス式ボード対ボードコネクタアセンブリ２０が示され、それは相互に係合する第１コネクタ３００と第２コネクタ４００を包含し、第１コネクタ３００、第２コネクタ４００はそれぞれ異なる回路板（図示せず）に固定され、二つの回路板を電気的に接続し、これにより二つの回路板間の信号伝送を達成する。
【０００３】
図１１に示されるように、この周知のマトリックス式ボード対ボードコネクタアセンブリ２０の第１コネクタ３００は第１ケース３１０及び第１ケース３１０に固定された複数の第１端子３２０を包含する。第１ケース３１０は第１基板３１１を具えている。第１基板３１１の前後両側の角部に凹口３１３が開設されている。第１基板３１１の左右両側より上向きに垂直に側壁３１４が延伸され、側壁３１４の両端が第１基板３１１の前後両側に沿って垂直に延伸されてストッパアーム３１５が形成されている。ストッパアーム３１５及び両側壁３１４の包囲により収容空間が形成され、第２コネクタ４００を収容する。ストッパアーム３１５の延伸方向に沿って、第１係止ブロック３１６がストッパアーム３１５より突出し、第２コネクタ４００の係止に供される。
【０００４】
図１２に示されるように、周知のマトリックス式ボード対ボードコネクタアセンブリ２０の第２コネクタ４００は第２ケース４１０と第２ケース４１０に固定された複数の第２端子４２０を包含する。第２ケース４１０の四隅部分に上向きに垂直方向に固定ピン４１２が延伸され、また、横向きに第２係止ブロック４１６が延伸されている。第２コネクタ４００と第１コネクタ３００の挿嵌時には、固定ピン４１２は下向きに第１コネクタ３００の凹口３１３中に挿入され、並びに第２係止ブロック４１６と第１コネクタ３００の第１係止ブロック３１６が係合し、これにより第２コネクタ４００が第１コネクタ３００に固定される。
【０００５】
しかし、周知のマトリックス式ボード対ボードコネクタアセンブリ２０は第１係止ブロック３１６と第２係止ブロック４１６の挿嵌組合せにより二つのコネクタ（第１コネクタ３００、第２コネクタ４００）が一体に結合され、第１係止ブロック３１６と第２係止ブロック４１６は僅かに係合作用を形成するだけであり、二つのコネクタを挿嵌する時、使用者は第１コネクタ３００と第２コネクタ４００が完全に挿嵌されたかを確定することができない。
【考案の開示】
【考案が解決しようとする課題】
【０００６】
本考案は上述の従来の技術に存在する欠点に対して、一種のマトリックス式ボード対ボードコネクタアセンブリを提供し、それはマトリックス式ボード対ボードコネクタアセンブリの第１コネクタと第２コネクタの挿嵌過程中に、使用者が二つのコネクタが完全に挿嵌されたかを確定できるものとする。
【課題を解決するための手段】
【０００７】
請求項１の考案は、第１コネクタであって、該第１コネクタは、第１ケース、複数の第１端子を包含し、第１ケースは第１基板及び側板を具え、側板は第１基板より垂直に上向きに延伸され、複数の第１端子は第１基板に固定された、上記第１コネクタと、
第２コネクタであって、第２ケースと複数の第２端子を包含し、第２ケースが第２基板と接続ガイド壁を具え、接続ガイド壁が第２基板より下向きに垂直に延伸され、該複数の第２端子がマトリックス形式で第２基板に固定された、上記第２コネクタと、
を包含するマトリックス式ボード対ボードコネクタアセンブリにおいて、
第１コネクタの第１基板の側板に近隣の部分に切欠きが開設されて第２コネクタの接続ガイド壁が挿入され、接続ガイド壁に第２基板上面を貫通する収容溝が開設され、第１コネクタが更に第１係合片を具え、該第１係合片が第１基部、嵌合部、第１ソルダーピン、及び係合部を具え、嵌合部が第１基部より平行に延伸され、該嵌合部が第１コネクタの側板に嵌合され、第１ソルダーピンが第１基部の下側より下向きに垂直に延伸され、係合部は第１基部の下側が外向きに折り曲げられて延伸されてなり、第２コネクタは更に第２係合片を包含し、該第２係合片は第２基部、弾性部、及び第２ソルダーピンを具え、第２基部は第２コネクタの第２基板に固定され、弾性部は第２コネクタの収容溝中に収容され、該弾性部は固定端、接続アーム、及び自由端を具え、固定端は第２基部の下側が下向きに垂直に延伸されてなり、接続アームは固定端より外向きに折り曲げられ延伸され、自由端は接続アームより上向きに延伸され、並びに自由端と接続アームの接続部分が下から上に先ず外に突出した後に内向きに凹んで凸円弧と凹円弧の過渡状を呈し、自由端が第１係合片の係合部に弾性圧接し、第２ソルダーピンが第２基部の上側より上向きに垂直に延伸されたことを特徴とする、マトリックス式ボード対ボードコネクタアセンブリとしている。
請求項２の考案は、請求項１記載のマトリックス式ボード対ボードコネクタアセンブリにおいて、第１コネクタの側板の、切欠きに近隣の部分に嵌合溝が開設されて、第１係合片の嵌合部が該嵌合溝内に嵌合することを特徴とする、マトリックス式ボード対ボードコネクタアセンブリとしている。
請求項３の考案は、請求項２記載のマトリックス式ボード対ボードコネクタアセンブリにおいて、第１コネクタの第１基板及び側板のいずれにも固定孔が開設され、第１係合片の嵌合部及び第１基部の下側より第１基部と第１ソルダーピンに垂直な固定ピンが延伸され、二つの固定ピンが対応する固定孔中に挿入されて、第１係合片が固定されることを特徴とする、マトリックス式ボード対ボードコネクタアセンブリとしている。
請求項４の考案は、請求項１記載のマトリックス式ボード対ボードコネクタアセンブリにおいて、第１係合片の第１基部の上側が外向きに折り曲げられて折辺が形成されたことを特徴とする、マトリックス式ボード対ボードコネクタアセンブリとしている。
請求項５の考案は、請求項１記載のマトリックス式ボード対ボードコネクタアセンブリにおいて、第２基板の接続ガイド壁に近隣の部分に収容溝と連通する固定溝が開設され、第２係合片の第２基部の下側両端がそれぞれ下向きに垂直に延伸されて二つの保持アームが形成され、第２係合片の第２基部及び二つの保持アームがいずれも固定溝内に固定されることを特徴とする、マトリックス式ボード対ボードコネクタアセンブリとしている。
【考案の効果】
【０００８】
本考案は上述の従来の技術に存在する欠点を解決したマトリックス式ボード対ボードコネクタアセンブリを提供し、それはマトリックス式ボード対ボードコネクタアセンブリの第１コネクタと第２コネクタの挿嵌過程中に、使用者が二つのコネクタが完全に挿嵌されたかを確定できる。
【考案を実施するための最良の形態】
【０００９】
上述の目的を達成するため、本考案は一種のマトリックス式ボード対ボードコネクタアセンブリを提供し、それは、第１コネクタと第２コネクタを包含する。第１コネクタは第１ケース、複数の第１端子、及び第１係合片を包含する。第１ケースは第１基板及び側板を具え、側板は第１基板より垂直に上向きに延伸され、並びに第１基板にあって側板に近隣の部分に切欠きが開設されている。複数の第１端子は第１基板に固定される。第１係合片は第１基部、嵌合部、第１ソルダーピン及び係合部を具えている。嵌合部は第１コネクタの側板に固定され、それは第１基部より平行に延伸され、第１係合片は外部の回路板に半田付けされる。係合部は第１基部の下側が外向きに折り曲げられ延伸されてなる。第２コネクタは第２ケース、複数の第２端子及び第２係合片を包含する。第２ケースは第２基板と接続ガイド壁を具え、接続ガイド壁は第２基板より垂直に下向きに延伸され、且つ該接続ガイド壁に第２基板上面を貫通する収容溝が開設されている。複数の第２端子は第２基板に固定される。第２係合片の第２基部、弾性部、及び第２ソルダーピンを具えている。第２基部は第２コネクタの第２基板に固定される。弾性部は第２基板の収容溝中に収容され、該弾性部は固定端、接続アーム、及び自由端を具え、固定端は第２基部の下側が下向きに垂直に延伸されてなり、接続アームは固定端より外向きに折り曲げられ延伸され、自由端は接続アームより上向きに延伸され、並びに自由端と接続アームの接続部分が下から上に、まず外向きに突出した後に内に凹み且つ凸円弧と凹円弧の過渡状を呈し、自由端の弾性で第１コネクタの第１係合片の係合部を押圧する。第２ソルダーピンは第２基部の上側より上向きに垂直に延伸され、第２係合片が外部の別の回路板に半田付けされる。
【００１０】
以上の説明により、本考案のマトリックス式ボード対ボードコネクタアセンブリの第１及び第２コネクタは挿嵌過程中に、第２コネクタに固定された第２係合片の弾性部が第１コネクタの第１係合片の第１基部を弾性押圧し固定し、並びに二つのコネクタが完全に挿嵌され一体とされる時、弾性部の弾性回復により弾性部の自由端が第１係合片の係合部に衝突して衝撃音を発生し、これにより二つのコネクタが既に完全に挿嵌され一体とされたことを提示する。ゆえに、使用者は本考案のマトリックス式ボード対ボードコネクタアセンブリの二つのコネクタが完全に挿嵌され一体とされたか否かを確定できる。
【実施例１】
【００１１】
図１を参照されたい。本考案のマトリックス式ボード対ボードコネクタアセンブリ１０は第１コネクタ１００と第２コネクタ２００を包含する。第１コネクタ１００と第２コネクタ２００はそれぞれ二つの異なる回路板（図示せず）に半田付けされ、二つのコネクタ（第１コネクタ１００、第２コネクタ２００）の挿嵌組合せにより二つの回路板間の電気的接続及び信号伝送が達成される。
【００１２】
図２及び図３に示されるように、第１コネクタ１００は第１ケース１１０、複数の第１端子１２０、及び二つの第１係合片１３０を包含する。第１ケース１１０は第１基板１１１を具え、第１基板１１１に第１端子１２０と等数量で並びにマトリックス状に配列された第１端子孔１２が開設されて第１端子１２０の固定に供される。第１基板１１１の前後両端に第１切欠き１１３Ａと第２切欠き１１３Ｂが形成されている（後端の二つの切欠きは図示せず）。前端の二つの切欠き（第１切欠き１１３Ａと第２切欠き１１３Ｂ）の間にあって、第１基板１１１の前端中部より第１側板１１４が上向きに垂直に延伸されている。第１切欠き１１３Ａの近隣の部分にあって、第１側板１１４に嵌合溝１１５が形成され、並びに嵌合溝１１５の下方において、第１側板１１４に更に第１基板１１１に向けて第１固定孔１１６が開設されている。第１基板１１１の前端右側にあって第１切欠き１１３Ａに近い部分に凸部１１７が形成され、凸部１１７に第１固定孔１１６と平行な第２固定孔１１８が開設されている。後端の二つの切欠き（第１切欠き１１３Ａ、第２切欠き１１３Ｂ）の間にあって、第１基板１１１より上向きに垂直に二つの第２側板１１９が延伸され、二つの第２側板１１９の間にうっかり防止溝１１９Ａが形成されている。
【００１３】
図４を参照されたい。第１係合片１３０は金属材料で形成され、該第１係合片１３０は第１基部１３１を具えている。第１基部１３１の左側より嵌合部１３２が平行に延伸され、嵌合部１３２の下側が後ろ向きに第１固定ピン１３３が垂直に延伸されている。第１基部１３１の下側の左右両端より下向きに垂直に第１ソルダーピン１３４が延伸されている。第１基部１３１の下側右端より更に後ろ向きに垂直に第２固定ピン１３５が延伸されている。第１基部１３１の下側中部より係合部１３６が前向きに折り曲げられて延伸されている。第１基部１３１の上側が更に前向きに折り曲げられて折辺１３７が形成されている。
【００１４】
更に図２を参照されたい。第１係合片１３０が第１ケース１１０に固定される時、嵌合部１３２は第１側板１１４の嵌合溝１１５内に嵌入し、第１固定ピン１３３及び第２固定ピン１３５はそれぞれ第１固定孔１１６及び第２固定孔１１８内に挿入され、これにより第１係合片１３０が第１ケース１１０に固定される。二つの第１ソルダーピン１３４が第１切欠き１１３Ａを貫通し並びに第１基板１１１の底面より突出し、これにより第１係合片１３０が対応する回路板に半田付け可能となる。
【００１５】
図５及び図６に示されるように、第２コネクタ２００は第２ケース２１０、複数の第２端子２２０、及び二つの第２係合片２３０を包含する。第２ケース２１０は第２基板２１１を具え、第２基板２１１に第２端子２２０と等数量で並びにマトリックス状配列された第２端子孔２１２が開設されて、第２端子２２０の固定に用いられる。第２基板２１１の前後両端より下向きに垂直に第１接続ガイド壁２１３と第２接続ガイド壁２１４が延伸されている（二つの後端の接続ガイド壁は図示せず）。前端の第１接続ガイド壁２１３の近隣の部分にあって、第２基板２１１に横向きに固定溝２１５が開設されている。第１接続ガイド壁２１３に第２基板２１１の上面を貫通し並びに固定溝２１５と連通する収容溝２１６が開設されている。このほか、第２基板２１１の後端の中部よりうっかり防止ブロック２１７が後方に向けて延伸されている。
【００１６】
図７に示されるように、第２係合片２３０も金属材料で形成されてそれと第１係合片１３０が係合する時（後で詳しく説明する）の耐磨耗性が高められ、これにより周知のマトリックス式ボード対ボードコネクタアセンブリにおける多次の係合による摩損によって係合が強固でなくなる問題が防止される。第２係合片２３０は第２基部２３１を具えている。第２基部２３１の下側両端より下向きに垂直に二つの保持アーム２３２が延伸されている。第２基部２３１の下側中央より略Ｕ形を呈する弾性部２３３が延伸されている。弾性部２３３は固定端２３４、接続アーム２３５、及び自由端２３６を具えている。固定端２３４は第２基部２３１の下側中部より下向きに垂直に延伸され、接続アーム２３５は固定端２３４より外向きに折り曲げられ延伸され、自由端２３６は接続アーム２３５より上向きに延伸されて成り、並びに自由端２３６と接続アーム２３５の接続部分が下から上に先ず外向きに突出した後に内向きに凹んで凸円弧と凹円弧の過渡状を呈する。第２基部２３１の上側中部より上向きに垂直に第２ソルダーピン２３７が延伸されている。
【００１７】
更に図５に示されるように、第２係合片２３０が第２ケース２１０に固定される時、第２基部２３１及び二つの保持アーム２３２が第２基板２１１の固定溝２１５内に固定され、並びに第２ソルダーピン２３７が第２基板２１１の上面より突出し、第２係合片２３０が別の回路板に半田付けされる。弾性部２３３は収容溝２１６内に収容され、並びに弾性部２３３の自由端２３６と接続アーム２３５の接続部分が第１接続ガイド壁２１３の外側面より突出する。
【００１８】
図１、図８及び図９に示されるように、第２コネクタ２００と第１コネクタ１００が挿嵌される時、第２コネクタ２００の第１接続ガイド壁２１３が下向きに第１コネクタ１００の第１切欠き１１３Ａ中に挿入され、第２接続ガイド壁２１４が第２切欠き１１３Ｂ中に挿入されて、二つのコネクタ（第１コネクタ１００、第２コネクタ２００）の挿嵌を案内する。うっかり防止ブロック２１７はうっかり防止溝１１９Ａ中に挿入されて二つのコネクタが反対方向に挿嵌されるのを防止する。第２係合片２３０の弾性部２３３の自由端２３６と接続アーム２３５の接続部分は第１係合片１３０の第１基部１３１を押圧して弾性部２３３に弾性変形を発生させる。第２コネクタ２００が完全に第１コネクタ１００に挿入された時、弾性部２３３は段栄回復して自由端２３６を係合部１３６に衝突させ、これにより衝撃音が発生し、第２コネクタ２００と第１コネクタ１００が完全に挿嵌されたことを提示する。このほか、第１基部１３１の折辺１３７もまた第２コネクタ２００の第１コネクタ１００への挿入を案内し、二つのコネクタが正確に位置合わせされない時に、第１基部１３１の上側が第２コネクタ２００に圧接して二つのコネクタの挿嵌が阻止されるのを防止する。
【００１９】
以上から、本考案のマトリックス式ボード対ボードコネクタアセンブリは、第１コネクタ１００に固定された第１係合片１３０及び第２コネクタ２００に固定された第２係合片２３０により、第１コネクタ１００と第２コネクタ２００の挿嵌時に、第２係合片２３０の弾性部２３３が第１係合片１３０の第１基部１３１を弾性押圧し、並びに第１コネクタ１００と第２コネクタ２００が完全に挿嵌された時、弾性部２３３の弾性回復により自由端２３６を係合部１３６に衝突させることで衝撃音を発生させ、これによりこの時第２コネクタ２００が既に第１コネクタ１００と完全に挿嵌されたことを提示する。ゆえに、本考案のマトリックス式ボード対ボードコネクタアセンブリは周知のマトリックス式ボード対ボードコネクタアセンブリの欠点を克服できる。
【００２０】
総合すると、本考案のマトリックス式ボード対ボードコネクタアセンブリは以上に記載の構造により上述の機能を達成する。なお、以上の実施例は本考案の実施範囲を限定するものではなく、本考案のに基づきなしうる細部の修飾或いは改変は、いずれも本考案の請求範囲に属するものとする。
【図面の簡単な説明】
【００２１】
【図１】本考案のマトリックス式ボード対ボードコネクタアセンブリの立体組合せ図である。
【図２】本考案のマトリックス式ボード対ボードコネクタアセンブリの第１コネクタの立体組合せ図である。
【図３】図２の第１コネクタの立体分解図である。
【図４】図３の第１コネクタの第１係合片の立体図である。
【図５】本考案のマトリックス式ボード対ボードコネクタアセンブリの第２コネクタの立体組合せ図である。
【図６】図４の第２コネクタの立体分解図である。
【図７】図６の第２コネクタの第２係合片の立体図である。
【図８】図１のマトリックス式ボード対ボードコネクタアセンブリの組合せ平面図である。
【図９】図８のＩＸ−ＩＸ断面図である。
【図１０】周知のマトリックス式ボード対ボードコネクタアセンブリの立体組合せ図である。
【図１１】周知のマトリックス式ボード対ボードコネクタアセンブリの第１コネクタの立体組合せ図である。
【図１２】周知のマトリックス式ボード対ボードコネクタアセンブリの第２コネクタの立体組合せ図である。
【符号の説明】
【００２２】
１０、２０  マトリックス式ボード対ボードコネクタアセンブリ
１００、３００  第１コネクタ
１１０、３１０  第１ケース
１１１、３１１  第１基板
１１２  第１端子孔
１１３Ａ  第１切欠き
１１３Ｂ  第２切欠き
１１４  第１側板
１１５  嵌合溝
１１６  第１固定孔
１１７  凸部
１１８  第２固定孔
１１９  第２側板
１１９Ａ  うっかり防止溝
１２０、３２０  第１端子
１３０  第１係合片
１３１  第１基部
１３２  嵌合部
１３３  第１固定ピン
１３４  第１ソルダーピン
１３５  第２固定ピン
１３６  係合部
１３７  折辺
２００、４００  第２コネクタ
２１０、４１０  第２ケース
２１１  第２基板
２１２  第２端子孔
２１３  第１接続ガイド壁
２１４  第２接続ガイド壁
２１５  固定溝
２１６  収容溝
２１７  うっかり防止ブロック
２２０、４２０  第２端子
２３０  第２係合片
２３１  第２基部
２３２  保持アーム
２３３  弾性部
２３４  固定端
２３５  接続アーム
２３６  自由端
２３７  第２ソルダーピン
３１３  凹口
３１４  側壁
３１５  ストッパアーム
３１６  第１係止ブロック
４１２  固定ピン
４１６  第２係止ブロック
【図１】
0003113410.tif 000003
【図２】
0003113410.tif 000004
【図３】
0003113410.tif 000005
【図４】
0003113410.tif 000006
【図５】
0003113410.tif 000007
【図６】
0003113410.tif 000008
【図７】
0003113410.tif 000009
【図８】
0003113410.tif 000010
【図９】
0003113410.tif 000011
【図１０】
0003113410.tif 000012
【図１１】
0003113410.tif 000013
【図１２】
0003113410.tif 000014